(57)【要約】【課題】鉄を使う量が少なくなることで、大幅に製造コストを減少可能な新タイプの蓋の構造を提供する。【解決手段】二つの相互にはめて組み合わせる蓋パネル１０、２０で蓋のモデルを構成する。その蓋パネル１０、２０に適切な高さのサイドパネル１１、２１を設けることで、２枚の蓋をはめて結合した後、その内部に一つの収納空間が形成され、その収納空間の中にコンクリート、鉄鉱石などの材料を充填する。また、その収納空間の中に、縦方向及び横方向の鉄を使って交差で溶接して作ったサポートリブを設けてもよい。さらに、その外部にゴム（プラスチック）材料を被せてもよい。【選択図】図１
0003119043.tif 000002
【実用新案登録請求の範囲】
【請求項１】
形態及び規格はスロットに合わせて設計され、取り付ける場合、蓋をスロットの中に置くことが可能であり、その蓋パネルに複数個のドレン穴が設けられる新タイプの蓋の構造であって、
前記蓋は２枚の金属パネルを使ってプレスで成型された蓋パネルで構成され、
前記蓋パネルの周辺に予定高さのあるサイドパネルが成型され、
蓋パネルの表面に多数のドレン穴が設けてあり、
前記ドレン穴の穴エッジに前記サイドパネルと同一高さのプレートが一体成型され、上、下の二つの蓋パネルを相対する方向で複合した後、前記サイドパネル及びドレン穴の穴エッジのプレートの相互の交差を利用してパネルを複合して、封鎖空間を構成し、
前記封鎖空間の中に、コンクリート又は鉄鉱石を含む配重材料を充填可能であることを特徴とする新タイプの蓋の構造。
【請求項２】
形態及び規格はスロットに合わせて設計され、取り付ける場合、蓋をスロットの中に置くことが可能であり、その蓋パネルに複数個のドレン穴が設けられる新タイプの蓋の構造であって、
前記蓋は金属パネルを使ってプレスで作られた上、下の蓋パネルをはめて設けられ、
前記蓋パネルの周辺に予定高さのあるサイドパネルを設けることで、上、下の蓋パネルを複合した後、収納空間を形成することで、縦方向及び横方向の鉄を使って交差させて溶接して成型されるサポートリブが収納可能となり、
前記サポートリブが上、下の蓋パネルを支えることにより、全体の構造強度を維持可能であり、
前記サポートリブは、鉄を縦方向及び横方向に交差させて構成される格子がちょうど蓋パネルの上にある予め設けてあるドレン穴を回避して、ドレン穴の貫通状態を保持可能であり、
下の蓋パネルを複合して構成される収納空間の中に、コンクリート又は鉄鉱石を含む配重材料を充填可能であることを特徴とする新タイプの蓋の構造。
【請求項３】
前記蓋の外部をゴム（プラスチック）の材料で覆うことが可能であることを特徴とする請求項１及び２に記載の新タイプの構造。
【考案の詳細な説明】
【技術分野】
【０００１】
本考案は新タイプの蓋の構成構造に関するものである。主には従来の銑鉄で作られた溝の蓋又は暗渠の蓋を複合式蓋に変更するものである。その内部にコンクリート、鉄鉱石などの材料を充填することで、全体の重量を増やすことができる。又、必要とする場合、その中に一つの予め作られたサポートリブを挟んで設けることで、その全体構造の強度を維持することができる。又、その外部にゴム（プラスチック）材料を被せることで外観の美観及び質感を向上できるし、ぶつかる時の騒音も減少することができる。更に、それは鉄の使用を大幅に減少させると同時に、製造コストも大幅に減少させることになる。
【背景技術】
【０００２】
一般的には、溝の蓋又は暗渠の蓋を排水工事又は電気設備のメンテナンス作業に応用する場合、主には銑鉄で成型した後、錆を避けるため、その表に一定の厚みがあるペンキを塗布する。又、それを施工する場合、その設置場所に規格に対応できるスロットを予め埋めて設けてから、蓋でスロットを覆うことで、全体の組立てを完了する。
ただこのような蓋は銑鉄で作らるので、鉄の価格が高い状態を維持する場合、全体のコストが高くなるので、利益も相対的に少なくなり、産業上に利用する場合、経済的な利益が悪い影響を与えられる。又、その蓋の表に一層のペンキを塗布してあることで、適当に錆の現象を防止できるが、ある期間を経過すると、その上のペンキは多少剥げる現象が生じ、長い期間太陽及び雨に当てられた後、錆になることは避けられない。そうなると、全体の美観に影響するし、長い期間を経過すると、本体構造の強度にも影響する。又、その蓋及びスロットはすべて鉄で作られるので、重い外力に押されるかぶつかる場合、その金属が相互にぶつかる時、非常に大きい音及び騒音が生じる。言い換えると、上述のように銑鉄で作られた溝の蓋又は暗渠の蓋の構造は産業での利用または実用について、すべて欠点が残っている。
【０００３】
又、前述のように、鉄は高い価格を維持しているので、銑鉄で作られた蓋の製造コストが高くなるほか、その蓋も泥棒の窃盗の目標になる。特に、蓋でスロットを覆うだけでは、泥棒が簡単にそれを盗むことができるため、関連する政府機関のメンテナンスコスト及び予算が増えるほか、そのために生じる公共安全問題はもっと無視できないので、このような銑鉄で作られた蓋の窃盗問題の解決方法を考えなければならない。
【考案の開示】
【考案が解決しようとする課題】
【０００４】
現有の銑鉄で作られた蓋にいろいろな問題及び欠点があるので、この業界で長年の経験及び技術を持つ本考案者が研究及び改良を行って、本考案の新タイプの蓋の構成構造を研究開発した。その主な目的は、構造の構成設計によって、蓋を製造する場合、鉄を使う量が少なくなることで、大幅に製造コストを減少することができる。
本考案のもう一つの目的は、構造の構成設計によって、その蓋の外部をゴム（プラスチック）で覆うことで、外観の美観及び質感を高められるし、ぶつかる騒音を減少させると同時に大幅に泥棒の注意を減少できるので、有効に蓋が盗難される比例を低下できる。
【課題を解決するための手段】
【０００５】
前述の目的を達成するため、その構造の設計は、主に二つの相互にはめて組み合わせる蓋パネルで蓋のモデルを構成する。その蓋パネルに適切な高さのサイドパネルを設けることで、２枚の蓋をはめて結合した後、その内部に一つの収納空間が形成され、その収納空間の中にコンクリート、鉄鉱石などの材料を充填することで、全体の重量を増やすことができる。必要とする場合、その収納空間の中に、縦方向及び横方向の鉄を使って交差で溶接して作ったサポートリブを設けることで、本考案の蓋を構成する。そのサポートリブのサポートによって、期待できる構造強度を与えることができる。又、必要とする場合、その外部にゴム（プラスチック）材料を被せることで外観全体の質感を向上できるし、ぶつかる時の騒音を有効に避けられる。更に、それは鉄の使用を大幅に減少させると同時に、製造コストも大幅に減少させることになる。それによって、産業の利用価値及び経済価値を有効に高めることができる。
【考案を実施するための最良の形態】
【０００６】
本考案の一実施例による新タイプの蓋の構成構造、技術手段及び効果達成について、図式に合わせて具体的に下記で説明する。
図１、図２の分解斜視図、図３の断面図、及び図４の模式図をご参照ください。図式の通り、それは本考案の一実施例の蓋を溝の蓋として実施する場合の実施状態である。その構造の設計は、主に二つの相互にはめて組み合わせる蓋パネル１０、２０で溝の蓋のモデルを構成する。その蓋パネル１０、２０は金属パネルを使ってプレスで成型されたものであり、その蓋パネル１０、２０の周辺に予定高さのあるサイドパネル１１、２１が成型され、又、蓋パネル１０、２０の表面に多数のドレン穴１２、２２が設けてあり、そのドレン穴１２、２２の穴エッジに前述のサイドパネル１１、２１と同一高さのプレート１３、２３が一体成型され、上、下の二つの蓋パネル１０、２０を相対する方向で複合した後、そのサイドパネル１１、２１及びドレン穴１２、２２の穴エッジのプレート１３、２３の相互の交差を利用して、パネル１０、２０を複合することで、一つの封鎖空間を構成する。又、その中の一つの蓋パネル２０に複数のスロット２４を設け、その上、下の蓋パネル１０、２０を複合して構成する空間の中にコンクリート５０又は鉄鉱石などの配重材料を充填し、シール蓋２５で塞いで封鎖する（以上は図３を参照）。又、そのスロット２４に金型（表示されていない）の柱を挿入し、その溝の蓋のモデルの外部を一層のゴム（プラスチック）材料４０で覆うことで、溝の蓋の外部に適切な弾性及び柔らかさを与えるので、従来の銑鉄で作られた溝の硬い触感と異なる。又、金型を脱落した時予め残してあるスロット２４に、コンクリート５０又は鉄鉱石などの配重材料を注いで空間の中に封じ、その重量を溝の蓋の所定規格に一致させてから、シール蓋２５をスロット２４にはめて封じる（以上は図４を参照）ことで、本実施例の溝の蓋の構造を構成する。必要とする場合、その二つの蓋パネル１０、２０の上に強化リブスロット１６、２６を増設することで、全体の構造強度を向上することができる。
【０００７】
即ち、上述の構造で構成する本実施例の溝の蓋の構造によって、従来の銑鉄で作られた溝の蓋構造体を上、下の蓋パネル１０、２０を複合して構成する構造体に変更するのである。この方法によると、鉄の使用が大量に減少するので、その全体のコストも大幅に低下できる。更に、外部をゴム（プラスチック）の材料で覆うことで、外観の美観及び質感を高められるし、騒音も減少できる。又、その中に含む鉄が少ないし、それを盗んで、その上での鉄を取りだすことが難しいので、大幅に泥棒の注意を減少させることで、有効に蓋が盗難される比例を低下できる。上述によって、本実施例は、従来の銑鉄で作られた溝の蓋の問題及び欠点を解決することに、とても良い効果があるのである。
【０００８】
図５は構造分解説明図、図６、及び図７は構造関係説明図である。それは本考案を溝の蓋に実施する他の実施例である。図の通り、その構造の設計は、主に金属パネルを使ってプレスで作られた上、下の蓋パネル１０、２０をはめて設けられる。その蓋パネル１０、２０の周辺に予定高さのあるサイドパネル１１、２１を設けることで、上、下の蓋パネル１０、２０を複合した後、一つの収納空間が形成され、又、２枚の蓋パネル１０、２０の上にドレン穴１２、２２が設けてあり、その上、下の蓋パネル１０、２０の複合で構成される収納空間の中に、一つのサポートリブ３０が予め設けてあり、そのサポートリブ３０は複数個の縦方向及び横方向の鉄を使って交差させて溶接して成型される。更に、そのサポートリブ３０の高さは収納空間と一致するので、そのサポートリブ３０が上、下の蓋パネル１０、２０を支えることでで、全体の構造強度を維持できる。更に、そのサポートリブ３０で構成される格子３１がちょうど蓋パネル１０、２０の上にある予め設けてあるドレン穴１２、２２を避けられるので、ドレン穴１２、２２の貫通状態を保持できる。又、その中にある１枚の蓋パネル２０の予定する位置に、スロット２４を増設することで、金型の柱を挿入して定位した後、金型に合わせて、上、下の蓋パネル１０、２０を複合して構成される溝の蓋の外部を一層のゴム（プラスチック）の材料４０で覆うことで、その外観全体の美観及び質感を向上できるし、必要である場合、更に、その内部にコンクリート５０又は鉄鉱石などの配重材料を充填することで、その重量を溝の蓋の所定規格に一致させてから、シール蓋２５をスロット２４にはめて封じることで、本考案の溝の蓋の他の実施例を構成する。
【０００９】
又、上述の構造は溝の蓋又は暗渠の蓋に実施する限りではない。たとえば、マンホール、電気ボックスの蓋など従来銑鉄で作られた製品をすべてこの構造に変更することができる。それによって、製造コスト、ぶつかる騒音及び窃盗率を低下できるので、確かに産業利用の価値がある。
上述によって、本考案の実施例の新タイプの蓋の構造は、構造の構成設計によって、確実に従来の銑鉄で作られた蓋の欠点を解決して、コストがより安くて、外観の質感がもっと素晴らしく、組立ての安定性がより高く、有効に窃盗率を低下できる製品を提供するものである。全体的に言えば、本考案の実施例は素晴らしく目立ち、創造的な設計を持つ製品であるので、法律によって実用新案の申請を提出するのである。
【図面の簡単な説明】
【００１０】
【図１】本考案の一実施例による新タイプの蓋の構造を示す分解斜視図である。
【図２】本考案の一実施例による新タイプの蓋の構造を示す分解斜視図である。
【図３】本考案の一実施例による新タイプの蓋の構造を示す断面図である。
【図４】本考案の一実施例による新タイプの蓋の構造を示す模式図である。
【図５】本考案の他の実施例による新タイプの蓋の構造を示す分解斜視図である。
【図６】本考案の他の実施例による新タイプの蓋の構造を示す断面図である。
【図７】本考案の他の実施例による新タイプの蓋の構造を示す断面図である。
【符号の説明】
【００１１】
１０、２０  蓋パネル、１１、２１  サイドパネル、１２、２２  ドレン穴、１３、２３  プレート、１６、２６  強化リブスロット、２４  スロット、２５  シール蓋、３０  サポートリブ、３１  格子、４０  ゴム（プラスチック）材料、５０  コンクリート
【図１】
0003119043.tif 000003
【図２】
0003119043.tif 000004
【図３】
0003119043.tif 000005
【図４】
0003119043.tif 000006
【図５】
0003119043.tif 000007
【図６】
0003119043.tif 000008
【図７】
0003119043.tif 000009
【手続補正書】
【提出日】平成17年11月28日(2005.11.28)
【手続補正１】
【補正対象書類名】実用新案登録請求の範囲
【補正対象項目名】請求項３
【補正方法】変更
【補正の内容】
【請求項３】
前記蓋の外部をゴム又はプラスチックの材料で覆うことが可能であることを特徴とする請求項１又は２に記載の新タイプの構造。